(57)【要約】【課題】本発明は使用者は人体合成のプログラムが設置されて、人体合成サービスを提供するサーバーシステム部にインターネットで連結されたコンピュータから多様なコンテンツが保存された人体合成のデータベースと連動してモニター上にディスプレイされるデジタル画像写真を簡便な操作によっても人体合成が可能になるようにして、多様なコンテンツの確保のために上記のコンピュータとインターネットに接続された人体合成サービスを提供するサーバーシステムからオンラインで人体合成に要求される多様なコンテンツを提供するようにして使用者にとって多様なイメージを演出できるようにするところに目的がある。【解決手段】クライアントシステム部はサーバーシステム部への構成するのに、上記のクライアントシステム部はコンピュータに接続されて各種の周辺装置などをコンピュータに接続して使用できるようにコンピュータと周辺装置の間に制御作業を担当するようにされる制御部；コンピュータのモニター上でデジタル画像イメージを入力させる画像入力手段とモニター上にディスプレイされるイメージに人体合成の作業をされるようにマウスやキーボードを操作する動作命令と入力手段に区分される入力部；上記の入力部を通じて入力されるコマンドを使用者が認識できる形態に出力する出力部；人体合成作業に必要なデータを分野別、項目別に分類して使用者がデータを要求する時、オンラインで提供するデータベース部；上記のデータベース部にデータを分類、保存して、使用者がデータを要求する時に該当するデータを出力されるようにするデータベース管理部；インターネットに接続されるサーバーシステム部から転送されるアップデータされたデータを入力するデータベースアップデータ部；データベース部に保存されてあるデータを使用者がモニター上から認識できる画像で出力して、映像作業に必要なイメージデータをデータベース部に保存できるように所定の形態に入力させる画像入出力部；インターネット上のすべての文書を検索して該当する文書の内容を使用者が認識できるようにモニター上にディスプレイするブラウザ部；クライアントシステム部はサーバーシステム部と相互間においてデータを転送したり受信できるようにする通信部で構成されて、上記のサーバーシステム部はＷｅｂサーバー部とデータベースサーバー部として構成されるが、上記のＷｅｂサーバー部はクライアントシステム部からインターネットを通じてサーバーシステム部に接続されるようにする接続部；上記の接続部に接続した使用者に会員権限を附与して認証する会員認証部；上記のクライアントシステム部から転送される使用者のコマンドを入力してもらって該当のコマンドが実行されるスクリプトを駆動してデータベースサーバー部のデータを抽出、入力されたデータを保存できるようにしたシステム運営部として構成されて、上記のデータベースサーバー部は上記のサーバーシステム部に接続した使用者が会員権限が附与されてあることの与否を確認するように会員に対して情報を保存する会員情報のデータベース部；インターネットを通じて接続した使用者に映像合成サービスをオンラインで提供されるようにデータを分野別、項目別に分類して保存するコンテンツデータベース��で構成してインターネットを基盤とする人体合成のモデリングシステムを好ましく実施できるようにしたものである。　クライアントシステム部の使用者が合成する主体のデジタル画像イメージをコンピュータモニター上にディスプレイする第１段階；データベース部に保存されてある合成する客体のデジタル画像イメージを検索して出力部にディスプレイする第２段階；合成する主体のデジタル画像イメージの中に合成する部分を特定して該当する部分を１次的に合成する第３段階；合成処理された結果を使用者が認識して修訂与否を決定する第４段階；１次的に合成処理されたデジタル合成イメージに附加的な附着物を２次的に合成する第５段階；上記の段階を通じて最終に合成された結果を保存して、所定の出力媒体を通じて出力する第６段階から構成されるインターネットを基盤にした人体合成のモデリング方法を提供するようにした。　個人のコンピュータやｋｉｏｓｋシステムに人体合成の応用プログラムと、該当するコンテンツをデータベースで構築してデジタル画像状態から人体合成作業を実行することにおいて専門家ではなくても一般の使用者たちが簡便な操作で使用するようにして、合成処理された結果は所定のデータ保存装置に保存したりＰｈｏｔｏプリンター等で即時に出力でき、人体合成の応用プログラムを通じた使用者の変化された肖像を前もって見ることができ、自分に一番似合うイメージを演出することができて美容室、かつら専門店、メーキャップ、ファッション、成形外科等から適切に活用でき、最近には流行するステッカ写真のようにｋｉｏｓｋシステムを使用して自分のイメージを別途の化粧品がなくても多様に演出することができ、自分だけの独特な個性を表出できる利点がある。【選択図】図１
2004503842.tif 000002
【特許請求の範囲】
【請求項１】
インターネットを基盤とする人体合成のモデリングシステムを構成することにおいて、クライアントシステム部とサーバーシステム部で構成するが、上記のクライアントシステム部はコンピュータに連結される各種の周辺装置などをコンピュータに接続して使用できるようにコンピュータと周辺装置の間に制御作業を担当させる制御部；コンピュータのモニター上にデジタル画像イメージを入力させる画像入力手段とモニター上にディスプレイされるイメージに人体合成の作業ができるようにマウスやキーボードを操作する動作命令と入力手段として区分される入力部；上記の入力部を通じて入力されるコマンドを使用者が認識できるような形態に出力する出力部；人体合成の作業に必要なデータを分野別、項目別で分類して使用者がデータを要求する時オンラインで提供するデータベース部；上記のデータベース部にデータを分類して保存し、使用者のデータを要求する時、該当データを出力できるようにするデータベース管理部；インターネットに接続されサーバーシステム部から転送されるアップデートされたデータを入力するデータベースアップデート部；データベース部に保存されたデータを使用者がモニター上から認識できる画像として出力して、画像処理に必要なイメージデータをデータベース部に保存されるように所定の形態で入力されるようにする画像入出力部；インターネット上のすべての文書を検索して該当する文書の内容を使用者が認識されるようにモニター上からディスプレイするブラウザ部；クライアントシステム部はサーバーシステム部との相互間のデータを転送し受信することができる通信部で構成して、上記のサーバーシステム部はＷｅｂサーバー部とデータベースサーバー部で構成するが、上記のＷｅｂサーバー部はクライアントシステム部からインターネットを通じてサーバーシステム部に接続できるようにした接続部；上記の接続部に接続した使用者に会員の権限を附与して認証する会員認証部；上記のクライアントシステム部から転送されて使用者のコマンドを入力してもらって該当するコマンドが実行できるようにスクリプトを駆動してデータベースサーバー部のデータを抽出、入力されたデータを保存させるようにしたシステム運営部で構成され、上記のデータベースサーバー部は上記のサーバーシステム部に接続した使用者が会員権限が附与されてかどうかの与否を確認するように会員に対する情報を保存する会員情報データベース部；インターネットを通じて接続した使用者に画像合成サービスをオンラインで提供されるようにデータを分野別、項目別に分類して保存するコンテンツデータベース部として構成されたことを特徴とするインターネットを基盤とする人体合成のモデリングシステム。
【請求項２】
上記のクライアントシステム部はパーソナルコンピュータを使用して使用者が人体合成の応用プログラムを設置することによって使用者が個人のコンピュータを通じて人体合成作業を実行し、サーバーシステム部からアップデートされるコンテンツはインターネットを通じて上記のクライアントシステム部へオンラインでアップデートされるようにすることを特徴とする請求項１記載のインターネットを基盤とする人体合成のモデリングシステム。
【請求項３】
上記のクライアントシステム部はＫｉｏｓｋシステムを使用して所定の公共の場所に設置して使用者が自由自在にＫｉｏｓｋシステムを通じて人体合成作業を実行して、サーバーシステム部からアップデートされるコンテンツはインターネットを通じて上記のクライアントシステム部へオンラインでアップデートできることを特徴とする請求項１記載のインターネットを基盤とする人体合成のモデリングシステム。
【請求項４】
サーバーシステム部のコンテンツデータベース部に更新されるコンテンツがある場合、クライアントシステム部とサーバーシステム部がインターネットで接続されオンライン状態が維持されると、該当するアップデートされたコンテンツやプログラムをパッチファイルでプッシュしてクライアントシステム部のデータベース部をアップデートできることを特徴とする請求項１記載のインターネットを基盤とする人体合成のモデリングシステム。
【請求項５】
インターネットを基盤とする人体合成のモデリング方法において、クライアントシステム部の使用者が合成する主体のデジタル画像イメージをコンピュータのモニター上にディスプレイする第１段階；データベース部に保存されて合成される客体のデジタル画像イメージを検索してコンピュータのモニター上にディスプレイする第２段階；合成する主体のデジタル画像イメージの中で合成する部分を特定して該当する部分を１次的に合成する第３段階；合成処理された結果を使用者が認識して修訂与否を決定する第４段階；１次的に合成処理されたデジタル合成イメージに附加的に附着されるイメージを２次的に合成する第５段階；上記の段階を通じて最終的に合成された結果を保存して、所定の出力媒体を通じて出力する第６段階として構成することを特徴とする、インターネットを基盤とする人体合成のモデリングシステム。
【請求項６】
上記の第１段階からデジタルカメラを使用してクライアントシステム部のコンピュータに合成する主体のデジタル画像イメージがディスプレイされることを特徴とする請求項５記載のインターネットを基盤とした人体合成のモデリングシステム。
【請求項７】
上記の第１段階からスキャナを使用してクライアントシステム部のコンピュータに合成する主体のデジタル画像イメージがディスプレイされることを特徴とする請求項５記載のインターネットを基盤とした人体合成のモデリングシステム。
【請求項８】
上記の第１段階からデータベース部に保存されたイメージデータを抽出してクライアントシステム部からコンピュータに合成する主体のデジタル画像イメージがディスプレイされることを特徴とする請求項５記載のインターネットを基盤とした人体合成のモデリングシステム。
【請求項９】
クライアントシステム部の使用者がブラウザ部を通じてインターネットに接続されたサーバーシステム部に接続する第１段階；サーバーシステム部に接続した使用者が会員認証部から会員権限を附与される第２段階；クライアントシステム部から人体合成の応用プログラムを認識できる人体合成のプログラムをサーバーシステム部からダウンロードして設置する第３段階；クライアントシステム部の使用者が合成する主体のデジタル画像イメージをコンピュータのモニター上にディスプレイする第４段階；サーバーシステム部のコンテンツデータベース部に保存された合成する客体のデジタル画像イメージを検索してコンピュータのモニター上にディスプレイする第５段階；合成する主体のデジタル画像イメージの中で合成する部分を特定して該当する部分を合成する第６段階；合成処理されたイメージを使用者が認識して修訂与否を決定する第７段階を包含することを特徴とするインターネットを基盤とする人体合成のモデリングシステム。
【発明の詳細な説明】
【０００１】
【発明の属する技術分野】
（技術分野）
本発明はインターネットを基盤とする人体の合成モデリングシステム及び提供方法に関するものであり、より詳しくはインターネットで連結されたサーバーシステム部に使用者たちに提供する人体の合成に関連したコンテンツを多様な項目別に分類した後、データベースを構築してクライアントシステム部にオンラインでアップデートできるようにし、使用者は上記のクライアントシステム部のコンピュータまたはＫｉｏｓｋシステムで人体の合成し、コンテンツデータベースと人体合成のアプリケーションプログラムを通じて人体の合成作業したりインターネットを通じてサーバーシステム部に接続して人体の合成作業を実施できるようにするインターネットを基盤とした人体の合成モデリング、システム及び提供方法に関するものである。
【０００２】
【従来の技術】
（背景技術）
一般的に現代社会はデジタル革命による情報通信分野とインターネットのめざましい発展により情報化時代を迎えるようになり、コンピュータまたは移動通信端末機等といったインターネットへの接続手段を通じて自分に必要な情報をオンラインから提供されるようになった。
【０００３】
単純に軍事の目的用として使用されたインターネットは最近になって特定の分野に限定されず、広範囲の所で使用されており、実生活の一部分になってインターネットを利用する者の数も急速に増えつつあり、そういうことでインターネット利用者向けの特定のサービスを提供するサービス提供者の数も急速に増加している趨勢である。
【０００４】
特にインターネット上で情報を提供する多様なサービスがありうる。最近に多くのインターネット利用者たちにとって人気のあるサービスとしてはＷｏｒｌｄ Ｗｉｄｅ Ｗｅｂであり、Ｗｅｂの使用上で便利さとマルチメディアに対する作業環境の構築で今はインターネット上から提供されるその他の違ったサービスより全世界的に爆発的な人気を集まっており、初期における単純なテキスト情報だけに依存する時とは違って、最近には多様なグラフィックサービス及び動画像サービスも可能になりインターネット使用者たちに動的でマルチメディア的なサービスを提供している。
【０００５】
しかしながらコンピュータシステムとソフトウェア技術のめざましい発展で、最近では画一化されていく現代社会から現代人たちは他人とは区別される自分だけの独特な個性を表出するために、ヘアスタイル、アクセサリ、メーキャップ（ｍａｋｅ−ｕｐ）等を直接するよりも、事前に自身の実際のイメージをスキャナまたはデジタルカメラ等の媒体を通じて自身の肖像をコンピュータ上にデジタルの画像形態でディスプレイし、自身にとって一番良く似合うヘアスタイル、アクセサリ、メーキャップ（ｍａｋｅ−ｕｐ）等の作業を通じて自分だけの独創的なイメージを創造できるように手伝ってくれる２次元の画像イメージを編集できる画像編集プログラムが開発され使用されている。
【０００６】
上記のコンピュータ用の画像を編集するプログラムで常用化されてあるのは’Ａｄｏｂｅ’社が開発したＭａｃｉｎｔｏｓｈ用及びＩＢＭ用として使用される’Ｐｈｏｔｏ−Ｓｈｏｐ’または’Ａｌｄｕｓ’社がＩＢＭ用として開発した’Ｐｈｏｔｏ−ｓｔｙｌｅｒ’または’Ｆｒａｃｔａｌ Ｄｅｓｉｇｎ’社から開発して使用している’Ｃｏｌｏｒ−Ｓｔｕｄｉｏ’等と同じプログラム等がある。
【０００７】
しかしながら上記の画像を編集するプログラムから作業されるスキャニングまたはデジタルカメラを通じて入力され使用者が作業をするためには、著作ツールの使用方法が難しいため、高品質の合成写真を作成するには通常、上記のイメージプロセッシングプログラムに熟達した専門家により合成写真が作成される。このようにイメージプロセッシングプログラムによる合成作業は一般の人たちにとっては使用するのには専門技術が要求され、実用化するまでには多くの時間と費用が所要される問題点があり、また、上記のプログラムに熟達した専門家であっても、全部がフィルタリングを通じた作業にならざるをえないことから、多くの時間が所要される問題点がある。
【０００８】
また、上記の画像編集の著作ツールであるイメージプロセッシングプログラムを使用した合成作業によって、多様なイメージを演出するためには、合成対象のモデル写真、合成する特定要素が必要である。即ち、ヘアスタイル、アクセサリ、メーキャップ（ｍａｋｅ−ｕｐ）等の多様なコンテンツが具備されるべきである。従来は、使用者が必要なコンテンツを別途に具備することにより多くの時間と費用が所要され、コンテンツが多様に確保できなくて、実際的には使用者が望む多様なイメージの演出をするためには現実的な制約がある、という問題点がある。
【０００９】
このような問題点によって、一般の使用者らもモニター上にディスプレイされるデジタル画像写真を合成することにおいて、別途の専門知識や技術がなくても容易に操作して合成作業ができ、また使用者が作業をするコンピュータやＫｉｏｓｋシステムがオンライン状態のインターネットに接続され、いつでも必要なモデリングコンテンツが提供され、また実時間で合成作業が進行され、使用するのに便利で即席に自分のイメージを実験できるシステムの必要性が台頭しつつある。
【００１０】
【発明の実施の形態】
以下、本発明の構成を添附された図面に関連して詳細に説明するが、添附された図面は本発明の一実施例を具体的に説明する例示だけであり、本発明の範囲が図面または図面を参照した説明により制限されて限定されるものではない。
【００１１】
図１は本発明の一実施例によって構成された全体のブロック図である。
図示されたように使用者が本発明によりサービスを提供されるためには制御部（１１）、入力部（１２）、出力部（１３）、データベース部（１４）、画像入出力部（１５）、データベース管理部（１６）、データベースアップデート部（１７）、ブラウザ部（１８）、通信部（１９）で成り立つクライアントシステム部（１０）と接続部（２２）、会員認証部（２３）、システム運営部（２４）で成り立つＷｅｂサーバー部（２１）；会員情報データベース部（２６）、コンテンツデータベース部（２７）で成り立つデータベースサーバー部（２５）で構成されるサーバーシステム部（２０）で構成される。
【００１２】
上記のクライアントシステム部（１０）は制御部（１１）、入力部（１２）、出力部（１３）、データベース部（１４）、画像入出力部（１５）、データベース管理部（１６）、データベースアップデータ部（１７）、ブラウザ部（１８）、通信部（１９）で構成されるが、上記の制御部（１１）はコンピュータに接続される各種の周辺装置などをコンピュータに接続して使用できるようにコンピュータと周辺装置の間に制御作業を担当できるようにするもので、本発明によるサービスを提供するためにはコンピュータのモニター上にディスプレイされるデジタル画像イメージを合成できるように、人体合成に対する応用プログラムを設置して、入力部（１１）を通じて入力された画像情報を使用者が望む形態での操作ができるようにコンテンツが保存されているデータベース部（１４）と連動できるようにして、ブラウザ部（１８）を通じてインターネットに接続されたサーバーシステム部（２０）から提供する多様な設置の合成に必要なコンテンツをデータベースアップデータ部（１７）を通じて提供してもらってデーターベース部（１４）に保存できるように制御する役割をする。
【００１３】
上記入力部（１２）は、デジタルカメラとスキャナ等を通じて使用者の実際の写真をコンピュータのモニター上にデジタルの画像イメージとして入力し、使用者によって設置合成の作業をできるようにする画像入力手段とキーボードやマウス等によって使用者がモニター上でディスプレイされるイメージに人体合成作業をするように操作できる動作命令の入力手段として区分して入力する。
【００１４】
上記の出力部（１３）は、入力部（１２）の画像入力手段によって入力されるイメージファイルを所定の臨時データの保存媒体に保存させるようにした後、制御部（１１）の制御によりモニター上にディスプレイして使用者として入力部（１２）を通じて人体合成の作業するようにして、上記の人体合成の作業が完了するとプリンター又はフォトプリンターで出力する。
【００１５】
上記のデータベース部（１４）はクライアントシステム部（１０）から使用者が人体合成の作業する時に要求するデータをオンラインで提供するために、該当するコンテンツを分野別、項目別に分類して保存するもので、通常的には合成する対象になる目標人物のモデルや多様なイメージの演出のため合成された映像のイメージに附随的に添加するヘアスタイル、アクセサリ、ファッション等のデータで分類して上記のデータを索引化した後にこれを基礎にして入力された画像情報と合成する作業が可能にするようにし、またサーバーシステム部（２０）からアップデートされるコンテンツはブラウザ部（１８）を通じて入力され、データベース管理部（１６）から該当の項目別に分類してデータベース部（１４）に保存できるようにする。
【００１６】
上記のデータベース管理部（１６）はインターネットを通じてサーバーシステム部（２０）から転送される人体合成に必要なコンテンツを分野別、項目別に分類してデータベース部（１４）に保存したり使用者が人体合成の作業時に該当のコンテンツを要求すると上記のデータベースの管理部（１６）を通じて該当データを出力するようにする。
【００１７】
上記のデータベースのアップデート部（１７）はインターネットに接続されたサーバーシステム部（２０）から転送されてアップデータになり人体合成に必要なコンテンツをブラウザ部（１８）を通じてデータを入力して、データベース管理部（１６）を通じて該当するデータを分野別、項目別に分類してデータベース部（１４）に保存できるようにする。
【００１８】
上記の画像入出力部（１５）はデータベース部に保存されているデータを使用者がモニター上から認識できる画像で出力して、画像作業に必要なイメージデータをデータベース部に保存できるように所定の形態に入力するようにする。
【００１９】
上記のブラウザ部（１８）はインターネット上のすべての文書を検索して該当する文書の内容をクライアントが認識できるようにモニター上にディスプレイさせる役割をし、またサーバーシステム部（２０）から転送する人体合成に必要なコンテンツを入力してもらってデータベースのアップデート部（１７）を通じてデータベース部（１４）に保存することにする。
【００２０】
上記の通信部（１９）はクライアントのシステム部（１０）がサーバーのシステム部（２０）に相互にデータを転送もでき、受信することもできるようにするモデム、ＡＤＳＬ、ＩＳＤＮまたはＬＡＮ等を包含する。
【００２１】
上記のサーバーシステム部（２０）はＷｅｂサーバー部（２１）とデータベースサーバー部（２５）で構成される。上記のＷｅｂサーバー部（２１）は接続部（２２）、会員の認証部（２３）、システム運営部（２４）になっており、使用者がブラウザ部（１８）を通じてＷｅｂサーバー部（２１）の接続部（２２）に接続すると会員の認証部（２３）からデータベースサーバー部（２５）の会員情報データベース部（２６）を通じて会員権限が附与されているかを確認して、システム運営部（２４）ではブラウザ部（１８）を通じて転送される使用者のコマンドを入力してもらって該当するコマンドを実行できるようにＡＳＰ（Ａｃｔｉｖｅ Ｓｅｒｖｅｒ Ｐａｇｅｓ）、ＣＧＩ（Ｃｏｍｍｏｎ Ｇａｔｅｗａｙ Ｉｎｔｅｆａｃｅ）スクリプトを駆動してインターネットのＷｅｂ上で人体合成の作業をできるようにサービスを提供し、上記の実行スクリプトはＷｅｂサーバーの機能を拡張するために使用されるもので、データベースサーバー部（２５）に該当するデータベース部に接近してコマンドに該当するデータを抽出、または入力されるデータを保存して、データを削除、処理する機能を統制できるようにする。
【００２２】
また、上記Ｗｅｂサーバー部（２１）ではデータベースサーバー部（２５）のコンテンツデータベート部（２７）に保存されてあるコンテンツがアップデータになる場合は、該当アップデートされたコンテンツをオンラインでクライアントシステム部（１０）に転送できるようにする。
【００２３】
また、上記のデータベースサーバー部（２５）は会員情報データベース部（２６）とコンテンツデータベース部（２７）で構成される。上記の会員情報データベース部（２６）は使用者がインターネットを通じて本発明によるサービスを提供するＷｅｂサーバー部（２１）に接続した場合に、会員の権限が附与された使用者なのかの与否を確認するように会員に対する情報を保存し、上記のコンテンツデータベース部（２７）は、インターネットを通じて接続した使用者が上記のＷｅｂサーバー部（２１）から実行する人体合成サービスを実時間で実行できるように人体合成に必要なデータを分野別、項目別に分類、索引化して保存されるようにする。
【００２４】
クライアントシステム部（１０）の使用者が本発明によりサービスを提供されるためには、クライアントシステム部（１０）そのものから人体合成の作業をすることもできて、使用者がインターネットで連結されたＷｅｂサーバー部（２１）に接続して人体合成サービスを提供されることもありうるが、上記のクライアントシステム部（１０）そのものから人体合成の作業をする場合には、インターネットに接続されたサーバーシステム部（２０）から更新される人体合成に必要なコンテンツは追加要因の発生した時に持続的なアップデータになるようにする。
【００２５】
本発明によって提供される人体合成サービスは通常的に会員制で運営されるのが望ましく、上記のクライアントシステム部（１０）そのものから人体合成の作業をする場合には、人体合成の応用プログラムをＣＤ−ＲＯＭを通じて上記のクライアントシステム部（１０）にプログラムを設置するか、それとも上記のＷｅｂサーバー部（２１）に接続して該当する応用プログラムをダウンロードして上記のクライアントシステム部（１０）に設置して使用することにして、上記のＷｅｂサーバー部（２１）から更新されるコンテンツは上記のクライアントシステム部（１０）がオンライン状態に維持されると、オンラインで更新されたデータを転送して上記のクライアントシステム部（１０）のデータベース部（１４）がアップデータできるようにする。
【００２６】
また、本発明により提供される人体合成サービスが会員制で運営されるのを誘導するために、使用者がインターネットを通じてＷｅｂサーバー部（２１）に接続して本発明によって人体合成の作業をする場合、通常的にはデモ・バージョンにて提供され、使用者にとって、本発明により完全な人体合成のサービスを提供されるためには、別途の会員加入のプロセスを経て、上記の人体合成の応用プログラムを購入して使用者がクライアントシステム部（１０）そのものから作業が可能になるようにする。
【００２７】
本発明によって人体合成の作業が実行されるクライアントシステム部（１０）は、インターネットに接続されている個人のコンピュータを利用して使用することもでき、通常の場合には、ステッカ写真の機械装置のように所定の場所でインターネットに接続されているコンピュータを設置して、上記のコンピュータに人体合成の応用プログラムを設置して、上記の応用プログラムを通じて人体合成の作用を実行できるように必要なコンテンツを分野別、項目別に分類した後、索引化して使用者が該当データを要求する時オンラインで提供できるようにするｋｉｏｓｋシステムを利用して人体合成の作業できるようにするのが望ましいことである。また、上記のｋｉｏｓｋシステムで構成する時には特性上、会員と非会員で分類してサービスの方法を差別化するのが望ましい。
【００２８】
上記のように基本的には個人のコンピュータとｋｉｏｓｋシステムを通じたクライアントシステム部（１０）から本発明によるプログラムが実行できるようにするのは使用者がデータベースの検索、または選択のため同じデータをサーバーへの要請を頻繁にする場合には、上記のＷｅｂサーバー部（２１）から転送するデータの量が増加することになりトラフィック（ｔｒａｆｆｉｃ）上のボルトネック現象が生じることになり、データの転送に多くの時間が所要されて使用者との相互作用が円滑にならない問題点を補完するためである。
【００２９】
また、上記のクライアントシステム部（１０）そのものから人体合成の作業が可能とするには、インターネットに接続されたサーバーシステム部（２０）のコンテンツデータベース部（２７）で更新されるコンテンツがある場合には、クライアントシステム部（１０）はサーバーシステム部（２０）がインターネット接続され、オンラインの状態になると、該当の更新されたコンテンツやアップデータされたプログラムをパッチファイルでＰＵＳＨしてクライアントシステム部（１０）のデータベース部（１４）をアップデートされるようにする。
【００３０】
（実施例）
上記のように構成される本発明によるサービスが提供される過程は、次のようになる。
【００３１】
図２は本発明に適用されるクライアントシステム部（１０）による人体合成の過程を図示した流れ図である。
【００３２】
使用者にとっては基本的に人体合成の応用プログラムが設置されていて、人体合成に必要なコンテンツが該当する分野別、項目別で分類され保存できてあるデータベースが構築されてある個人のコンピュータシステムであり、ｋｉｏｓｋシステムから上記の人体合性の応用プログラムを駆動させる。（１００）
【００３３】
上記の人体合成の応用プログラムを駆動させるとコンピュータの出力部（１３）であるモニター上にデジタルの画像形態から人体合成ができるように基本的な環境を設定するが、使用者はデジタルカメラで撮影したデジタル画像イメージやスキャナで写真をスキャニングしたデジタルの画像イメージまたは一般のアナログカメラで撮影したアナログ画像イメージをデジタルイメージに変換したデジタル画像イメージを上記の画像入力手段である入力部（１２）を通じて入力する。（１１０）
【００３４】
上記の入力部（１２）の画像入力手段を通じて入力されるデジタル画像イメージは制御部により出力部（１３）であるモニター上にディスプレイされる。モニター上に使用者のデジタル画像イメージをディスプレイするためには上記の画像入力手段を使用することもあるが、使用者が会員加入する時に保存した自分のデジタル画像イメージをデータベース部（１４）から抽出してモニター上でディスプレイすることもできる。
【００３５】
使用者のデジタル画像イメージがモニター上にディスプレイされると使用者は合成することを願うモデルをディスプレイするが、上記のデータベース部（１４）に保存されている、合成する対象のモデルに対する情報をデータベース管理部（１６）を通じて該当するモデルに対してデータを選択し（１２０）、画像出力部（１５）を通じてモニター上にディスプレイされるように制御部（１１）が統制する。
【００３６】
上記の出力部（１３）であるモニター上に使用者のデジタル画像イメージと合成を願うモデルのデジタル画像イメージがディスプレイされると使用者の顔をモデルの顔に合成するが（１３０）、使用者が入力部（１２）マウスの左のボタンを押して使用者の顔に対して（ｄｒａｇ）して合成する顔の輪郭を形成して、合成するモデルの合成ボタンを選択すると実時間でモデルの顔に使用者の選択された顔の輪郭が合成される。
【００３７】
この時、使用者は合成される処理過程を眼で認識することはできないが、処理された結果は認識できて、使用者が使用者のデジタル合成イメージの顔の輪郭を選択して合成すると色調整（ＲＧＢ）、境界線の処理及び補正、明度及び色調整、境界線の段階形状の除去、新たなレイヤー（ｌａｙｅｒ）を合成、特殊効果、未処理の人体合成処理が人体合成の応用プログラムにより実時間で成り立って使用者は合成処理された結果を即時認識できるようになる。
【００３８】
使用者はモニター上にディスプレイされて合成処理した結果を見て修訂与否を決定することになり（１４０）、合成処理された結果が使用者の気に入らないと使用者は簡単な修訂の過程を経て（１５０）再びデータベース部（１４）を検索してデータベース管理部（１６）は画像出力部（１５）を通じて選択したモデルのデジタル画像イメージをモニター上にディスプレイして上記の合成過程を反復させる。
【００３９】
合成処理された結果が使用者の気に入ると使用者は合成処理されたデジタル合成イメージに多様なイメージ演出のためにヘアスタイル、アクセサリ、ファッション、メーキャップ等の２次的な合成作業をするかどうかを決定する。（１６０）
【００４０】
使用者が上記の合成作業をする場合にはデータベース部（１４）を検索して該当するデータをデータベース管理部（１６）と画像出力部（１５）を通じて選択したデータをモニター上にディスプレイできるようにして上記の１次的に合成処理されたデジタル画像イメージに合成されるようにして、自分のイメージを仮想空間から多様に演出して使用者によく似合うイメージを合成する。（１７０）
【００４１】
上記の過程を通じて使用者の願う形態で人体合成の作業が完了すると、上記に合成処理された結果イメージを出力するかどうかの与否を決定して（１８０）出力する場合にはＰｈｏｔｏプリンタ等の出力部（１３）を通じて出力できるようにして（１９０）、出力しない場合には使用者のコンピュータデータベース部（１４）に、別途に保存してインターネットに接続されたサーバーシステム部（２０）のコンテンツデータベース部（２７）に保存して保管する。
【００４２】
図３は本発明に適用されるサーバーシステム部（２０）による人体合成の過程を図示した流れ図である。
【００４３】
クライアントシステム部（１０）の使用者は入力部（１２）を通じてサーバードメインまたはＩＰ（Ｉｎｔｅｒｎｅｔ Ｐｒｏｔｏｃｏｌ）アドレスを入力すると、上記のサーバードメインまたはＩＰ（Ｉｎｔｅｒｎｅｔ Ｐｒｏｔｏｃｏｌ）アドレスはブラウザ部（１８）を通じて上記のＷｅｂサーバー部（２１）の接続部（２２）に接続して（２００）会員認証部（２３）へ転送して、上記サーバードメイン名前及びＩＰ（Ｉｎｔｅｒｎｅｔ Ｐｒｏｔｏｃｏｌ）アドレスが入力された会員認証部（２３）は使用者のＩＤと秘密番号を入力できる初期画面をブラウザ部（１８）を通じてクライアントシステム部（１０）の出力部（１３）であるモニターにディスプレイとして現れる。
【００４４】
クライアントシステム部（１０）の入力部（１２）を通じてＩＤとパスワードを入力した後、ブラウザ部（１８）を通じて該当Ｗｅｂサーバー部（２１）に転送すると会員認証部（２３）はシステム運営部（２４）の実行スクリプトによって会員情報のデータベース部（２６）と連動して転送されるＩＤとパスワードが既存の登録された会員あるかないかを認知確認するようにする。（２１０）
【００４５】
転送されたＩＤとパスワードが本発明によるサービスを利用できる会員として登録されていない場合には、新規会員として登録するプロセスを経て（２２０）、上記の会員認証部（２３）でクライアントシステム部（１０）のブラウザ部（１８）を通じて使用者のＩＤとパスワードを設定して個人の身上情報を入力できるＷｅｂページを転送されるようにして、上記の転送されるＷｅｂページに使用者は自分に対して個人の身上情報を入力してブラウザ部（１８）を通じてＷｅｂサーバー部（２１）へ転送する。
【００４６】
上記のＷｅｂサーバー部（２１）へ転送される新しく設定されたＩＤ、パスワード及び個人の身上情報は、会員の認証部（２３）を通じて会員情報データベース部（２６）へ転送され保存した後、（２３０）会員権限を附与する。（２４０）
【００４７】
上記の過程を通じて使用者に会員権限が附与されると上記Ｗｅｂサーバー部（２１）に設置された人体合成の応用プログラムを駆動してクライアントシステム部（１０）のモニター上でデジタル画像形態から人体の合成ができる基本的な環境が設定されるが、通常では上記のＷｅｂサーバー部（２１）から実行される人体合成の応用プログラムはデモ・バージョンのプログラム程度で使用者がＷｅｂサーバー部（２１）から実行できる人体の合成作業は機能的な面からある程度制限を与えることにする。
【００４８】
即ち、Ｗｅｂサーバー部（２１）から実行される人体合成応用プログラムのデモ・バージョンは図２に図示されたように、クライアントシステム部（１０）から実行される人体の合成過程と同一な環境で実行するが、機能的な面から制限を加わって使用者が人体の合成作業中の一部分のサービスだけを提供ができるようにして、上記のデモ・バージョンをクライアントシステム部から認識するためには人体合成サービスを提供するウェブ・サイトから人体合成のデモ・バージョンのプログラムを認識できる人体合成のプログラムをダウンロードして使用できるようにしたものである。（２５０）
【００４９】
上記のＷｅｂサーバー部（２１）から実行される人体合成のデモ・バージョンの一実施例を調べて見ると、会員権限が附与された使用者はクライアントシステム部（１０）の画像入力手段を通じてデジタル画像信号を入力して、コンテンツデータベース部（２７）に保存されてあるデジタルの画像イメージを検索して該当するコンテンツをモニター上でディスプレイできるようにする。（２６０）
【００５０】
また、使用者が合成するのを願うモデルもコンテンツデータベース部（２７）を検索して該当するモデルを選択すると上記のＷｅｂサーバー部（２１）のシステム運営部（２４）からクライアントシステム部（１０）のブラウザ部（１８）を通じて出力部（１３）であるモニター上にモデルのデジタル画像イメージを使用者が認識できるようにディスプレイする。（２７０）
【００５１】
上記の出力部（１３）であるモニター上に合成する使用者のデジタル画像イメージと合成する対象モデルのデジタル画像イメージがディスプレイされると、上記の図２に図示されたように使用者の顔をモデルの顔に合成する作業をすることになる。（２８０）
【００５２】
使用者は入力部（１２）のモニター上にディスプレイされる合成処理できた結果を見て修訂与否を決定することになるが（２９０）、合成処理された結果は使用者が気に入らないと使用者は簡単な修訂過程を経て（２９５）再びデータベース部を検索して新たな合成をするモデルを選択して上記の反復過程を経るようにする。
【００５３】
上記の合成作業を通じて合成処理された画像イメージが完成すると多様なイメージの演出をするためのヘアスタイル、アクセサリ、ファッション、メーキャップ等の機能が使用されないように制限をしておいて、使用者が人体合成の応用プログラムを別途に購入、ダウンロードするように誘導するのが望ましい。
【００５４】
以上のように使用者は本発明による人体合成の作業をするように人体合成の応用プログラムと該当するコンテンツをデータベースとして構築されてある個人のコンピュータやｋｉｏｓｋシステムから専門家ではない一般の使用者たちが簡単な操作で人体合成の作業をして合成処理された結果を出力できるようにして美容室、ファッション、かつら専門店、メーキャップ、成形外科等の仮想空間から使用者のイメージを演出した後、一番使用者に似合う形態で実行できるようにする有用な発明である。
【００５５】
以上で説明した本発明は、本発明が属する技術分野から通常の知識を持った者において、本発明の技術的な思想を外れない範囲内から色々の置換、変形及び変更が可能であり、前述した実施例及び添附された図面に限定するのではない。
【００５６】
（産業上の利用可能性）
個人のコンピュータやｋｉｏｓｋシステムに人体合成の応用プログラムと該当するコンテンツをデータベースで構築してデジタル画像状態から人体の合成作業を実行することにおいて専門家ではないとしても一般の使用者たちが簡便な操作で使用されるようにして、合成処理された結果は所定のデータ保存装置に保存したりＰｈｏｔｏプリンター等で即時、出力することができて、人体合成の応用プログラムを通じた使用者の変化された肖像を前もって見られることができて、自分に良く似合うイメージを演出できるようにして美容室、かつら専門店、メーキャップ、ファッション、成形外科等から適切に活用できるし、最近になって流行するステッカ写真のようにｋｉｏｓｋシステムを使用して自分のイメージを別途の化粧品がなくても多様に演出できて自分だけの独特な個性を表出できる利点がある。
【図面の簡単な説明】
【図１】
本発明の一実施例による構成された全体のブロック図。
【図２】
本発明に適用されるクライアントシステムによる人体合成の過程を図示した流れ図。
【図３】
本発明に適用されるサーバーシステム部による人体合成の過程を図示した流れ図。
【符号の説明】
１０　クライアントシステム部　　１１　制御部
１２　入力部　　　　　　　　　　１３　出力部
１４　データベース部　　　　　　１５　画像入出力部
１６　データベース管理部　　　　１７　データベースアップデート部
１８　ブラウザ部　　　　　　　　１９　通信部
２０　サーバーシステム部　　　　２１　Ｗｅｂサーバー部
２２　接続部　　　　　　　　　　２３　会員認証部
２４　システム運営部　　　　　　２５　データベースサーバー部
２６　会員情報データベース部　　２７　コンテンツデータベース部
【図１】
2004503842.tif 000003
【図２】
2004503842.tif 000004
【図３】
2004503842.tif 000005
【国際公開パンフレット】
2004503842.tif 000006
2004503842.tif 000007
2004503842.tif 000008
2004503842.tif 000009
2004503842.tif 000010
2004503842.tif 000011
2004503842.tif 000012
2004503842.tif 000013
2004503842.tif 000014
2004503842.tif 000015
2004503842.tif 000016
2004503842.tif 000017
2004503842.tif 000018
2004503842.tif 000019
2004503842.tif 000020
2004503842.tif 000021
2004503842.tif 000022
2004503842.tif 000023
2004503842.tif 000024
2004503842.tif 000025
2004503842.tif 000026
2004503842.tif 000027
2004503842.tif 000028
2004503842.tif 000029
2004503842.tif 000030
2004503842.tif 000031
2004503842.tif 000032
2004503842.tif 000033
2004503842.tif 000034
2004503842.tif 000035
【国際調査報告】
2004503842.tif 000036